(57)【要約】      （修正有）【課題】モバイル装置の伝送機能を拡張し、各方式の充電器のインターフェイスに使用することができ、それにより、使用時間を伸ばすことができる変換コネクタ付き多機能コードリールを提供する。【解決手段】コード部２と、伝送コネクタ１と、タップ部３と、少なくとも一つの変換コネクタ５と、接続部材４とによって構成する。前記伝送コネクタは、前記コード部の一端のコードと接続され、前記タップ部は、少なくとも一つのコネクタを備えるとともに、前記コード部の他端のコードと接続される。前記少なくとも一つの変換コネクタは、前記タップ部のコネクタに差し込まれ、前記変換コネクタ外部には、少なくとも一つの連結孔が設けられる。前記接続部材には、少なくとも一つの連結段と貫設口とが設けられ、前記貫設口は、前記タップ部と接続され、前記連結段は、前記連結孔に貫設される。【選択図】図１
0003171471.tif 000002
【実用新案登録請求の範囲】
【請求項１】
コード部と、伝送コネクタと、タップ部と、少なくとも一つの変換コネクタと、接続部材と、によって構成する変換コネクタ付き多機能コードリールであって、
前記伝送コネクタは、前記コード部の一端のコードと接続され、
前記タップ部は、少なくとも一つのコネクタを備えるとともに、前記コード部の他端のコードと接続され、
前記少なくとも一つの変換コネクタは、前記タップ部のコネクタに差し込まれ、
前記変換コネクタ外部には、少なくとも一つの連結孔が設けられ、
前記接続部材には、少なくとも一つの連結段と貫設口とが設けられ、前記貫設口は、前記タップ部と接続され、前記連結段は、前記連結孔に貫設されることを特徴とする変換コネクタ付き多機能コードリール。
【請求項２】
前記コード部は、双方向にコードがでるダブルコードリールであることを特徴とする、請求項１に記載の変換コネクタ付き多機能コードリール。
【請求項３】
前記伝送コネクタはＵＳＢコネクタであることを特徴とする、請求項１に記載の変換コネクタ付き多機能コードリール。
【請求項４】
前記タップ部のコネクタは、二つのコネクタであることを特徴とする、請求項１に記載の変換コネクタ付き多機能コードリール。
【請求項５】
前記タップ部のコネクタは、ＵＳＢコネクタ、或いは、ＭＩＮＩ  ＵＳＢコネクタ、或いは、ＭＩＣＲＯ  ＵＳＢコネクタ、或いは、ＨＤＭＩコネクタ、或いは、タブレットＰＣコネクタに接続されることを特徴とする、請求項１に記載の変換コネクタ付き多機能コードリール。
【請求項６】
前記変換コネクタには、少なくとも二つの異なるインターフェイスを備えるコネクタが設けられるとともに、前記変換コネクタ内は、相互に電気的に接続されていることを特徴とする、請求項１に記載の変換コネクタ付き多機能コードリール。
【請求項７】
前記変換コネクタのコネクタは、ＵＳＢコネクタ、或いは、ＭＩＮＩ  ＵＳＢコネクタ、或いは、ＭＩＣＲＯ  ＵＳＢコネクタ、或いは、ＨＤＭＩコネクタ、或いは、タブレットＰＣコネクタに接続されることを特徴とする、請求項１に記載の変換コネクタ付き多機能コードリール。
【請求項８】
前記接続部材の材質は、ゴム、或いは、可撓性をもつ軟性の材質であることを特徴とする、請求項１に記載の変換コネクタ付き多機能コードリール。
【考案の詳細な説明】
【技術分野】
【０００１】
本考案は変換コネクタ付き多機能コードリールに関し、特に携帯に便利な、マルチインターフェイス変換コネクタをもつ変換コネクタ付き多機能コードリールに関する。
【背景技術】
【０００２】
現在のデジタル科学技術の進歩は速く、デジタル製品はあらゆるところに普及している。道行く人が手に持っているスマートフォン、パソコン、３Ｃ製品で使用されている伝送インターフェイスなど、色々なところで様々な種類の伝送インターフェイスや充電インターフェイスが見られる。しかしながら、これらのインターフェイスにはデータ転送と充電の問題が常にあり、パソコンＵＳＢポートと連結させＵＳＢによりデータを転送したり充電を行ったりすることが、インターフェイスが異なることによりできない状況がたびたび生じる。
【０００３】
従来の変換コネクタの中でよく見られるのは、二つのＵＳＢコネクタやその他のコネクタを備えたマルチ変換コネクタである。使用者が、必要なインターフェイスを自分で自由に取り付けたり取り外したりすることができる。しかしながら、取り外し可能な構造のため、マルチコネクタを持ち運ぶと紛失してしまいやすく、変換コネクタを紛失するとそのインターフェイスを使用することができなくなる。このことから分かるように、従来の変換コネクタには問題があり、改善が待たれている。
【考案の概要】
【考案が解決しようとする課題】
【０００４】
本考案は、モバイル装置の伝送機能を拡張し、各方式の充電器のインターフェイスに使用することができ、それにより、使用時間を伸ばすことができる変換コネクタ付き多機能コードリールを提供することを目的とする。
【０００５】
また、本考案は、コードの長さを調整することができ、使用者が伝送範囲を延長して、便利な生活を享受することができる変換コネクタ付き多機能コードリールを提供することを目的とする。
【０００６】
また、本考案は、よく使用するインターフェイスのコネクタを繋いでおくことができ、持ち運んだときに紛失するのを防ぐことができる変換コネクタ付き多機能コードリールを提供することを目的とする。
【課題を解決するための手段】
【０００７】
本考案による変換コネクタ付き多機能コードリールは、コード部と、伝送コネクタと、タップ部と、変換コネクタと、接続部材とによって構成する。コード部の両端のコードは、それぞれ、伝送コネクタとタップ部に接続される。
【０００８】
タップ部は、外部に少なくとも一つの連結孔が設けられた変換コネクタに差し込まれ、接続部材には、少なくとも一つの連結段と、タップ部と接続される貫設口とが設けられ、連結段は前記連結孔に貫設され、それにより、変換コネクタを繋ぐことができる。以上により、タップ部は変換コネクタにしっかり繋がれ、取り外した後でも紛失するのを避けることができる。
【０００９】
好ましくは、タップ部は二つのタップ部であり、それぞれＭＩＣＲＯ  ＵＳＢとＭＩＮＩ  ＵＳＢである。  
【００１０】
好ましくは、貫設口には、対向する両側の二つの連結段が設けられ、それにより二つの変換コネクタを繋ぐことができる。
【図面の簡単な説明】
【００１１】
【図１】本考案の外観を示した斜視図である。
【図２】本考案の接続部材と変換コネクタの組合せ関係を示した説明図である。
【図３】本考案の接続部材とタップ部の組合せ関係を示した説明図である。
【図４】本考案の接続部材とタップ部の組合せ部分を示した拡大図である。
【図５】本考案の実施例１を示した斜視図である。
【図６】本考案の実施例２を示した斜視図１である。
【図７】本考案の実施例２を示した斜視図２である。
【図８】従来の変換コネクタを示した斜視図である。
【考案を実施するための形態】
【００１２】
図８を参照する。図８は、従来の変換コネクタ２００を示した斜視図である。変換コネクタはたくさんあるため、持ち運んでいる最中に紛失してしまいインターフェイスを使えなくなることがよくある。
【００１３】
図１を参照する。図１は、本考案の外観を示した斜視図である。図から分かるように、本考案は、コード部１と、伝送コネクタ２と、タップ部３と、接続部材４と、二つの変換コネクタ５と、によって構成する。
【００１４】
図２と図３に示すように、変換コネクタ５は、上下のケースを組み合わせてなる。変換コネクタ５のケースの辺側には、連結孔５１ａと５１ｂが設けられ、上下のケースを結合する際に、連結孔５１ａと５１ｂに接続部材の端末凸部４３を配置させることにより、二つの変換コネクタ５は二つの連結段を介して繋がった状態になる。二つの連結段４２内には貫設口４１が設けられ、タップ部に貫設される。
【００１５】
図４を参照する。図４は、本考案の接続部材とタップ部の組合せ部分を示した拡大図である。接続部材４の貫設口４１にタップ部３の凹溝３１が貫設される。それにより、タップ部３が接続部材４を介して二つの変換コネクタ５に繋がれ、必要な変換コネクタを紛失しなくなるという効果を得ることができる。
【００１６】
（実施例１）
図５を参照する。図５は、本考案の実施例１を示している。コード部２は、二本のコードを備えるダブルコードリールであり、本考案の複数のコネクタを併せることにより、延長機能を備える多機能変換コネクタとなる。
【００１７】
（実施例２）
図６を参照する。図６は、本考案の実施例２を示している。その内、変換コネクタ５はタップ部３のコネクタに差し込まれる。それにより、伝送コネクタ１は変換コネクタ５を介してインターフェイスの変換がスムーズに行われる。
【００１８】
図７を参照する。図７は、本考案の実施例２のコードを延長して使用した状態を示している。
【符号の説明】
【００１９】
１００      変換コネクタ付き多機能コードリール
２００      従来の変換コネクタ
１          伝送コネクタ
２          コード部
３          タップ部
４          接続部材
４２        連結段
４１        貫設口
４３        凸部
５          変換コネクタ
５１ａ、５１ｂ      連結孔
３１        凹溝
【図１】
0003171471.tif 000003
【図２】
0003171471.tif 000004
【図３】
0003171471.tif 000005
【図４】
0003171471.tif 000006
【図５】
0003171471.tif 000007
【図６】
0003171471.tif 000008
【図７】
0003171471.tif 000009
【図８】
0003171471.tif 000010